(57)【要約】【課題】文字データ、音声データ、又は文字データに対応する音声データを選択的にダウンロードできる情報配信システムの提供。【解決手段】サーバ装置のデータベースメニューから選択された情報を要求する要求情報を記憶する携帯端末装置の装着を検出する検出手段と、検出手段により携帯端末装置の装着を検出すると、要求情報を携帯端末装置より受信すると共に、サーバ装置に送信するように制御する通信制御手段と、サーバ装置より返信される、サーバ装置上で要求情報に応じて検索された情報を、記憶手段に記録する記録制御手段とを備える。【選択図】        図１
2006294047.tif 000002
【特許請求の範囲】
【請求項１】
サーバ装置のデータベースメニューから選択された情報を要求する要求情報を記憶する携帯端末装置の装着を検出する検出手段と、
前記検出手段により前記携帯端末装置の装着を検出すると、前記要求情報を前記携帯端末装置より受信すると共に、前記サーバ装置に送信するように制御する通信制御手段と、
前記サーバ装置より返信される、前記サーバ装置上で前記要求情報に応じて検索された前記情報を、記憶手段に記録する記録制御手段と、
を備える情報処理装置。
【請求項２】
前記通信制御手段は、前記サーバ装置より返信される前記情報を、前記携帯端末装置に送信するように制御することを特徴とする請求項１に記載の情報処理装置。
【請求項３】
前記情報は、文字情報と対応する音読情報とにより構成され、
操作手段と、
前記文字情報を表示出力する表示出力手段と、
前記音読情報を音声出力する音声出力手段と、
前記表示出力手段と前記音声出力手段より、前記文字情報の表示出力と前記音読情報の音声出力とが同時に出力されているとき、前記操作手段の操作に応じて、前記音声出力手段による音声出力をミュートするように制御する制御手段と、
を備えることを特徴とする請求項１に記載の情報処理装置。
【請求項４】
前記制御手段は、前記操作手段の操作と同様の操作に応じて、前記ミュートを解除するように制御することを特徴とする請求項３に記載の情報処理装置。
【請求項５】
記憶されるサーバ装置のデータベースメニューから情報を選択するための操作手段と、
前記操作手段により選択された情報を要求する要求情報を記憶する記憶手段と、
前記サーバ装置に通信接続される情報処理装置との接続に応じて、前記記憶手段に記憶される要求情報を前記情報処理装置に送信するように制御する制御手段と、
を備える携帯端末装置。
【請求項６】
前記制御手段は、前記情報処理装置が前記サーバ装置より取得した前記情報を、前記情報処理装置から受信するように制御することを特徴とする請求項５に記載の携帯端末装置。
【請求項７】
前記情報は、文字情報と対応する音読情報とにより構成され、
操作手段と、
前記文字情報を表示出力する表示出力手段と、
前記音読情報を音声出力する音声出力手段と、を更に備え、
前記制御手段は、前記表示出力手段と前記音声出力手段より、前記文字情報の表示出力と前記音読情報の音声出力とが同時に出力されているとき、前記操作手段の操作に応じて、前記音声出力手段による音声出力をミュートするように制御することを特徴とする請求項５に記載の携帯端末装置。
【請求項８】
前記制御手段は、前記操作手段の操作と同様の操作に応じて、前記ミュートを解除するように制御することを特徴とする請求項７に記載の携帯端末装置。
【請求項９】
サーバ装置のデータベースメニューから選択された情報を要求する要求情報を記憶する携帯端末装置の装着を検出し、
前記携帯端末装置の装着を検出に応じて、前記要求情報を前記携帯端末装置より受信すると共に、前記サーバ装置に送信し、
前記サーバ装置より返信される、前記サーバ装置上で前記要求情報に応じて検索された前記情報を、記憶手段に記録する
情報処理方法。
【請求項１０】
記憶されるサーバ装置のデータベースメニューから情報を選択し、
前記選択された情報を要求する要求情報を記憶し、
前記サーバ装置に通信接続される情報処理装置との接続に応じて、前記記憶される要求情報を前記情報処理装置に送信する
情報処理方法。
【発明の詳細な説明】
【技術分野】
【０００１】
本発明は、例えば情報が蓄積されている情報格納装置から少なくとも一つ以上の携帯端末装置に情報を配信することができる情報処理装置、及び配信される情報を出力することができる携帯端末装置、及び情報処理方法に関するものである。
【背景技術】
【０００２】
従来の情報配信システムとしては、例えば通信カラオケシステムが開示されている。通信カラオケシステムにおいては、カラオケの音声情報と映像情報がホストコンピュータであるサーバ装置にデータベース形式で蓄積されており、サーバ装置には少なくとも１台以上の端末装置が電話回線などを介して接続されて構成される。
【０００３】
データの配信方法としては、例えばサーバ装置から端末装置側に設けられる記憶部に定期的に情報をダウンロード（コピー）するか、または端末装置側に設けられる操作部をユーザが操作することにより所望のカラオケの要求情報を作成してサーバ装置に送信し、サーバ装置はその要求情報に応じてカラオケの音声情報と映像情報をデータを端末装置にダウンロードするような方法が知られている。
【発明の開示】
【発明が解決しようとする課題】
【０００４】
しかしながら、このような通信カラオケシステムにおいては、端末装置側にダウンロードされる情報としては、カラオケの音声情報及び映像情報のみとされ、例えばや映像情報や文字情報と、この映像情報や文字情報に対応する音声情報をサーバ装置から端末装置側に対してそれぞれ別々にダウンロードしたり、或いは映像情報や文字情報、音声情報又はこれらの合成情報をそれぞれ選択してダウンロードすることはできない。例えば小説等の文字情報とその文字情報を音読する音声情報をサーバ装置からダウンロードする場合は、ユーザが端末装置の表示によりその小説を読むという用途であれば文字情報のみをダウンロードすればこと足りる。このようにサーバ装置から情報を選択して提供することができるようにすれば、情報配信システムの利用価値はより高められることになる。
【課題を解決するための手段】
【０００５】
本発明はこのような点を鑑みてなされたものであり、サーバ装置のデータベースメニューから選択された情報を要求する要求情報を記憶する携帯端末装置の装着を検出する検出手段と、前記検出手段により前記携帯端末装置の装着を検出すると、前記要求情報を前記携帯端末装置より受信すると共に、前記サーバ装置に送信するように制御する通信制御手段と、前記サーバ装置より返信される、前記サーバ装置上で前記要求情報に応じて検索された前記情報を、記憶手段に記録する記録制御手段と、を備えるようにした。
【０００６】
また、本発明の携帯端末装置は、記憶されるサーバ装置のデータベースメニューから情報を選択するための操作手段と、前記操作手段により選択された情報を要求する要求情報を記憶する記憶手段と、前記サーバ装置に通信接続される情報処理装置との接続に応じて、前記記憶手段に記憶される要求情報を前記情報処理装置に送信するように制御する制御手段と、を備えて構成される。
【０００７】
本発明の情報処理方法によれば、サーバ装置のデータベースメニューから選択された情報を要求する要求情報を記憶する携帯端末装置の装着を検出し、前記携帯端末装置の装着を検出に応じて、前記要求情報を前記携帯端末装置より受信すると共に、前記サーバ装置に送信し、前記サーバ装置より返信される、前記サーバ装置上で前記要求情報に応じて検索された前記情報を、記憶手段に記録することができる。
【発明の効果】
【０００８】
以上説明したように本発明によれば、サーバ装置のデータベースメニューから選択された情報を要求する要求情報がサーバ装置より返信され記憶するようにしたことにより、効率的な情報収集が可能となり、情報収集の迅速化を図ることができる。
【０００９】
また、本発明によればキュー、レビュー表示が自在に行うことができるため、音声からテキストデータの検索を行い、ユーザが所望の情報の音声を聞き取ったときにノーマル出力に切換えてテキストデータの検索を更に行って情報を限定するという方法により更なる情報検索の向上、情報収集時間の短縮が実現できる。
【００１０】
さらにまた、本発明においては、サーバ装置から取り込んだ文字情報、音声情報の同時出力から音声出力のミューティングが可能とされているため、例えばユーザが情報を速く読み進めたい時は音声出力をミューティングして文字データのみから情報収集を行ったり、またユーザが疲れており文字を読むことが困難な場合においても、有効に時間を使うため再び音声情報をＯＮにして目を閉じたままでも情報収集を耳から行うことができるため、ユーザの体調に合わせた最も効率の良い情報収集を可能にするといった格別の効果がある。
【００１１】
さらにまた、本発明においては、サーバ装置から送信された音声情報、或いは文字情報を一時的な蓄積をすることなく情報処理端末装置において再生することにより更なる情報収集の迅速化を図ることができる。
【発明を実施するための最良の形態】
【００１２】
以下、本発明の実施の形態について図１〜図１０を参照して説明する。
なお、以降の説明は次の順序により行うこととする。
＜１．情報配信システムの構成例＞
（１−ａ．情報配信システムの概要）
（１−ｂ．情報配信システムを構成する各装置の内部構成）
（１−ｃ．情報配信システムの動作）
＜２．情報処理装置の処理動作＞
【００１３】
＜１．情報配信システムの構成例＞
（１−ａ．情報配信システムの概要＞
先ず、図１及び図２の斜視図により、本発明の実施の形態としての情報配信システムの構成例について概略的に説明する。図１は、本実施の形態の情報配信システム全体を示し、図２は情報配信システムを構成する装置のうち、携帯端末装置３を端末装置２の端末装着部２０４と共に示している。
【００１４】
図１において、サーバ装置１は、後述するようにして配信用データ（例えば、オーディオ情報、テキスト情報、画像情報、映像情報等）をはじめとする所要の情報が格納される大容量の記録媒体を備えており、少なくとも通信網４を介して多数の端末装置２と相互通信可能に構成されている。例えば、サーバ装置１は上記通信網４を介して端末装置２から送信されてくる要求情報を受信し、この要求情報が指定する情報を記録媒体に格納されている情報から検索する。
【００１５】
上記のような要求情報は、例えばユーザが後述する端末装置２又は携帯端末装置３に対して所望の情報を選択するための操作を行うことによって発生させることができるものとされている。そして、検索して得られた情報がサーバ装置１から通信網４を介して端末装置２に対して送信される。
【００１６】
なお、本実施の形態では、後述するようにしてサーバ装置１から端末装置２を介してダウンロードした所望の情報を端末装置２や携帯端末装置３によりコピー（ダウンロード）したり、端末装置２を利用して携帯端末装置３に対して充電を行うのにあたり、ユーザにより課金を行うことが可能とされ、この課金処理に従ってユーザから料金を徴収するために課金通信網５が設けられている。この課金通信網５は、例えば各ユーザが当該情報配信システムの利用料金を支払うために契約した金融機関などと接続される。
【００１７】
端末装置２は、例えば各駅にある売店、コンビニエンスストア、公衆電話、各家庭等に配され、主として、サーバ装置１より送信されてきた情報を通信網４を介して通信制御端子２０１にて受信し、この受信情報を携帯端末装置３に対して出力する機能を有する。
【００１８】
この場合、端末装置２の前面パネルには、例えば携帯端末装置３を装着するための端末装着部、適宜所要の内容を表示する表示部２０２、及びユーザが所望の情報の選択その他の所要の操作を行うためのキー操作部２０３等が設けられている。
また、本体側面部に設けられた通信制御端子２０１は、サーバ装置１と通信網４を介して相互通信を行うための制御端子であり、ここではネットワーク線が引き出された状態が示されている。
【００１９】
また、図２に示すように端末装着部２０４には、情報入出力端子２０５と、電源供給端子２０６が設けられている。また、電源供給端子２０６には、例えばスイッチングコンバータ等を備えて構成され、入力される商用交流電源から所定電圧の直流電源を生成して電源供給端子２０６に供給する電源部２０７が接続されている。
この端末装着部２０４に対して携帯端末装置３が装着された状態では、情報入出力端子２０５は携帯端末装置３の情報入出力端子３０６と接続され、電源供給端子２０６は携帯端末装置３の電源入力端子３０７と接続されるようになっている。
また、端末装置２にはマイク２０８及びスピーカ２０９が設けられているが、これらについは後述する。
【００２０】
この携帯端末装置３においては、図２に示すように、本体の前面部に表示部３０１、及びキー操作部３０２が設けられている。
表示部３０１は、例えばユーザがキー操作部３０２に対して行った操作や動作に応じた所要の表示が行われる。また、この場合のキー操作部３０２としては、ユーザが要求する情報を選択するためのセレクトキー３０３と、選択した情報を確定するための決定キー３０４、及び動作キー３０５等が設けられる。
【００２１】
本実施の形態の携帯端末装置３は、内部の記録媒体に格納された情報について再生を行うことが可能とされているが、上記動作キー３０５はこのような情報について各種再生操作を行うための早送りキーや再生キー、巻き戻しキー、停止キー、一時停止キー等が設けられる。なお、携帯端末装置３のキー操作部３０２に設けられているセレクトキー３０３及び決定キー３０４は、回転操作子等によって構成されるいわゆるジョグダイヤルの押圧によって決定するようにすれば操作をより簡単に行うことができるようになる。
【００２２】
また、携帯端末装置３の底面部には、情報入出力端子３０６及び電源入力端子３０７が備えられている。前述のように携帯端末装置３が端末装置２の端末装着部２０４に対して装着されることで、情報入出力端子３０６及び電源入力端子３０７は、それぞれ端末装置２の情報入出力端子２０５及び電源供給端子２０６と接続される。これにより、携帯端末装置３と端末装置２間とで情報の入出力が可能とされるのであるが、特に、端末装置２から携帯端末装置３に出力された情報については、携帯端末装置３内に内蔵された所定種類の記録媒体に対して格納（ダウンロード）することができるものとされている。また、端末装置２から携帯端末装置３への充電が可能とされる。
【００２３】
また、携帯端末装置３の上面部にはオーディオ出力端子３０９及びマイク端子３１０が設けられている。オーディオ出力端子３０９には、図４に示すようにオーディオ情報を聴く場合に場合に用いられるヘッドホン８またはアクティブスピーカＳＰが接続可能とされる。また、マイク端子３１０には、サーバ装置１に蓄積された情報を通信網４を介してダウンロードした情報だけでなく、当該携帯端末装置３を後述するようにユーザがメモ帳の代わりとして音声を記録するメモ録音装置として利用する際にマイクロフォン１２を接続するために設けられている。
【００２４】
さらにまた、携帯端末装置３の側面部には、図４に示すように外部のモニタ装置８、キーボード１１、モデム（又はターミナルアダプタ）１１等を接続可能なコネクタ３０８が設けられているがこれについては後述する。
【００２５】
このように、本実施の形態の情報配信システムは、サーバ装置１に格納されている大量の情報の中から、携帯端末装置３のユーザが選択した情報を携帯端末装置３の記録媒体にコピーすることができるといういわゆるデータ・オン・デマンドを実現するシステムとされる。
【００２６】
なお、端末装置２に設けられている表示部２０２及びキー操作部２０３は省略して端末装置２が担当する機能を削減し、代わって、携帯端末装置３の表示部３０１及びキー操作部３０２により同様の操作が行えるようにしてもかまわない。  また、図２（及び図１）においては携帯端末装置３の本体部が端末装置２に対して脱着可能な構成を採っているが、少なくとも端末装置２側との情報入出力、電源入力が可能であればよいため、携帯端末装置３の底面、側面、或いは先端部等の所要の位置から小型装着部を有する電源供給線及び情報入出力線が伸長され、小型装着部を端末装置に装着されるものであってもよい。
また、一つの端末装置２に対して複数のユーザが各々の携帯端末装置３を有してアクセスを行う可能性が考えられるので、一つの端末装置２に複数の携帯端末装置３が装着あるいは接続可能なように構成することも考えられる。
【００２７】
また、上記通信網４としては特に限定されるものではなく、例えばＩＳＤＮ(Integrated services digital network) 、ＣＡＴＶ(Cable Television,Community Antenna Television) 、通信衛星、電話回線、ワイヤレス通信等を利用することが考えられる。
また、通信網４としてはオン・デマンドを行うために双方向通信が必要であるが、例えば既存の通信衛星等を採用した場合には一方向のみの通信となるため、このような場合には、他方向には他の通信網４を用いるという２種類以上の通信網を併用してもかまわない。
【００２８】
また、サーバ装置１から端末装置２へ通信網４を介して直接情報を送信するためにはサーバ装置１から全ての端末装置２への回線の接続等のインフラストラクチャーに費用がかかるばかりでなく、要求情報がサーバ装置１に一極集中し、それに応じて各々の端末装置にデータを送信するためサーバ装置１に負荷がかかる可能性がある。そこで、図１に示すようにサーバ装置１と端末装置２の間にデータを一時記憶する代理サーバ６を設けるようにして回線長の節約を図ると共に、代理サーバ６に予め所定のデータをダウンロードしておき、代理サーバ６と端末装置２とのデータ交信のみで要求情報に応じた情報をダウンロードできるようしてもよい。
【００２９】
（１−ｂ．情報配信システムを構成する各装置の内部構成）
次に、図３のブロック図を参照して、本実施の形態の情報配信システムを形成する各装置（サーバ装置１、端末装置２、及び携帯端末装置３）の内部構成について説明する。なお、図１及び図２と同一部分には同一符号を付している。
【００３０】
先ず、サーバ装置１から説明する。
図３に示すサーバ装置１は、制御部１０１、記憶部１０２、検索部１０３、照合処理部１０４、課金処理部１０５、インターフェイス部１０６及びデータ合成部１０７を備えて構成されており、これら各機能回路部はバスラインＢ１を介してデータの送受信が可能なように接続されている。
制御部１０１は、例えばマイクロコンピュータ等を備えて構成され、通信網４からインターフェイス部１０６を介して供給された各種情報に応答して、サーバ装置１における各機能回路部に対する制御を実行する。
【００３１】
インターフェイス部１０６は、通信網４（この図では代理サーバ６の図示は省略している）を介して、端末装置２と相互通信を行うために設けられる。なお、送信時の伝送プロトコルについては独自のプロトコルであってもよいし、又はインターネットで汎用となっているＴＣＰ／ＩＰ(Transmission contorol protocol/internet protocol ）等でパケット化されてデータ送信されるものであってもよい。
【００３２】
検索部１０３は、制御部１０１の制御によって、記憶部１０２に格納されているデータから所要のデータを検索する処理を実行するために設けられる。例えば、この検索処理は端末装置２から送信され、通信網４からインターフェイス部１０６を介して制御部１０１に入力された要求情報に基づいて行われる。
【００３３】
記憶部１０２は、例えば大容量の記録媒体と、この記録媒体を駆動するためのドライバ装置等を備えて構成される。前述した配信用データの他、携帯端末装置３ごとに割り当てられた端末ＩＤに関する情報、及び課金設定情報などのユーザ関連データをはじめとする所要の情報がデータベース化されて格納されている。  本例では配信用データの一つとして文字データと、それに対応する音声データを出力できるものであるが、この音声データとしては、音声そのものについてのオーディオデータとして格納しておいて良いし、若しくは音声データ自体は格納せずに例えば音声合成部を設けて文字データ等に基づいて音声データを生成するようにしても良い。
【００３４】
ここで、記憶部１０２に備えられる記録媒体としては、現在の放送用機器に用いられる磁気テープ等も考えられるが、本システムの特徴の一つであるデータオン・デマンド機能を実現するためには、ランダムアクセス可能なハードディスク、ＩＣメモリ、光ディスク、光磁気ディスク等を採用することが好ましい。
【００３５】
また、記憶部１０２に格納されるデータは、大量な複数のデータを記録する必要があるためデジタル圧縮されていることが望ましい。圧縮方法としてはＡＴＲＡＣ(Adaptive Transform Acoustic Coding)、ＡＴＲＡＣ２、ＴｗｉｎＶＱ(Transform domain Weighted Interleave Vector Quantization)等（商標）様々な手法が考えられるが、例えば端末装置２側で伸張可能な圧縮手法であるならば特に限定されるものではない。
【００３６】
照合処理部１０４は、例えば要求情報等と共に送信されてきた携帯端末装置３の端末ＩＤと、本実施の形態の情報配信システムを現在利用可能な携帯端末装置３の端末ＩＤのデータベース（例えば記憶部１０２にユーザ関連データとして格納されている）とについて照合を行い、その照合結果を制御部１０１に出力する。例えば制御部１０１ではその照合結果に基づいて、要求情報送信先の端末装置２に対して接続されている携帯端末装置３に対して、当該情報配信システム利用の許可・不許可を設定するようにされる。
【００３７】
また、課金処理部１０５は、制御部１０１の制御によって、携帯端末装置３を所有するユーザによる情報配信システムの利用内容に応じた金額を課金するための処理を行う。例えば、通信網４を介して端末装置２からサーバ装置１に対して、情報コピーや充電のための要求情報が供給されると、制御部１０１では、これに応答して必要な情報の送信供給や充電許可のためのデータを送信出力するが、制御部１０１では、これらの情報に基づいて実際の利用状況を把握した上で、所定規則に従ってその利用内容に見合った課金金額が課金処理部１０５にて設定されるように制御を行う。
【００３８】
データ合成部１０７は、検索部１０３で検索された所要のデータを合成するために設けられており、例えば端末装置２から送信され、通信網４からインターフェイス部１０６を介して制御部１０１に入力された要求情報によって、文字データとその文字データに対応する音声データ（例えば、文字データの文字に相当する音読データ）が要求された場合に、これらのデータを合成するようにされる。  また、例えばカラオケ音楽等の音声データが要求されたような場合は、その音声データと、その音声データに対応する文字データ（歌詞データ等）を合成する。
【００３９】
次に、端末装置２について説明する。
図３に示す端末装置２においては表示部２０２、キー操作部２０３、インターフェイス部２１０、制御部２１１、充電部２１２、記憶部２１３、ＲＯＭ２１４、ＲＡＭ２１５、信号処理回路２１６、及び装着判定部２１９が、それぞれバスラインＢ２により接続されて構成されている。
【００４０】
制御部２１１は、マイクロコンピュータ等を備えて構成され、必要に応じて端末装置２内部の各機能回路部の動作を制御する。
この場合、インターフェイス部２１０は、通信制御端子２０１と情報入出力端子２０５間に設けられており、通信網４を介してサーバ装置１との相互通信、及び携帯端末装置３との相互通信が可能とされる。つまり、このインターフェイス部２１０を介在するようにしてサーバ装置１と携帯端末装置３が通信可能な環境が得られることになる。
【００４１】
記憶部２１３は、例えばメモリや所定種類の記録媒体及びその駆動装置などにより構成され、サーバ装置１又は携帯端末装置３から送信された所要の情報を一時保持する。記憶部２１３に対する書き込み及び読み出し制御は、制御部２１１により実行される。
また、ＲＯＭ２１４には、例えば制御部２１１が所要の制御を実行するために必要なプログラムデータや、各種データベース等の情報が格納されているものとされる。ＲＡＭ２１５には、記憶部２１３に一時的に記憶された情報を検索、加工、表示等を行うためのデータや、制御部２１１の処理により発生したデータが一時的に記憶される。
【００４２】
装着判別部２１９は、当該端末装置２の端末装着部２０４に対する携帯端末装置３の装着／非装着の状態を判別する部位とされる。この装着判別部２１９は、例えばフォトインタラプタやメカニカルスイッチなどの機構を備えて構成されてもよいし、例えば、電源供給端子２０６や情報入出力端子２０５などに含められて、端末装置２に携帯端末装置３が適正に装着されることにより得られる所定端子の導通状態を検出するようにしてもよい。
【００４３】
充電部２１２は、電源部２０７（図２）から供給される所定の直流電圧を、携帯端末装置３の充電池に対して充電を行うようにされ、電源供給端子２０６から携帯端末装置３の電源入力端子３０７を介して充電電力を供給可能に構成されている。
【００４４】
表示部２０２は、先に図１あるいは図２に示したようにして本体に表出するようにして設けられ、例えば液晶ディスプレイやＣＲＴ(Cathode-Ray Tube)などの表示デバイス及びその表示駆動回路等を備えて構成される。
【００４５】
キー操作部２０３は、例えば図２に示したように各種キーが設けられて構成されており、このキー操作部２０３に対して行われた操作情報はバスラインＢ２を介して制御部２１１に対して供給される。制御部２１１では供給された操作情報に応じて適宜所要の制御処理を実行する。
【００４６】
信号処理回路２１６は例えば記憶部２１３から読み出されたオーディオデータをバスラインＢ２を介して入力して所要の信号処理を行う。ここで、記憶部２１３に格納されているオーディオデータが所定形式に従って圧縮処理をはじめとする所定のエンコードが施されているのであれば、信号処理回路２１６では入力された圧縮オーディオデータについて伸張処理及び所定のデコード処理を施されて、Ｄ／Ａコンバータ２１７に出力される。Ｄ／Ａコンバータ２１７でアナログオーディオ信号に変換されたオーディオデータは、スピーカ２０９を介して音声として出力可能とされる。
【００４７】
また、端末装置２にはマイク２０８が設けられており、このマイク２０８に音声を吹き込んだとすると、この音声信号がＡ／Ｄコンバータ２１８を介してデジタルオーディオ信号に変換されて信号処理回路２１６に入力される。
この場合、信号処理回路２１６では入力されたデジタルオーディオ信号について、例えば圧縮処理及び記憶部２１３へのデータ書き込みに適合する所要のエンコード処理を施すように動作する。ここでエンコード処理が施されたデータは、例えば制御部２１１の制御によって記憶部２１３に対して格納することが可能とされている。あるいは、そのまま信号処理回路２１６の音声出力系からＤ／Ａコンバータ２１７を介してスピーカ２０９から出力することも可能である。
【００４８】
分離部２２０は、オンターフェース部２１０を介して供給されるデータが音声データと文字データの合成データとされる場合は、音声データと文字データを分離するような処理を行うようにされる。
【００４９】
なお、音声の入出力に関しては、携帯端末装置３側のみで可能とする場合は、端末装置２に、信号処理回路２１６、Ｄ／Ａ変換器２１７、マイクロフォン２０８、スピーカ２０９、Ａ／Ｄ変換器２１８及び分離部２２０を搭載する必要はない。
【００５０】
続いて、携帯端末装置３について説明する。
図３に示す携帯端末装置３は、先に図２にて説明したようにして端末装置２に対して装着されることにより、端末装置２と、情報入出力端子２０５−３０６を介してデータの通信が可能なように接続されると共に、電源供給端子２０６−電源入力端子３０７を介して、端末装置２の電源供給部２１０から電力が供給される。
【００５１】
この図に示す携帯端末装置３では、表示部３０１、キー操作部３０２、制御部３１１、ＲＯＭ３１２、ＲＡＭ３１３、信号処理回路３１４、Ｉ／Ｏポート３１７，３１９、記憶部３２０、分離部３２２が備えられ、これら各機能回路部がバスラインＢ３により接続されている。
この場合も、制御部３１１はマイクロコンピュータ等を備えて構成され、携帯端末装置３内の各機能回路部の動作についての制御を実行する。
また、ＲＯＭ３１２には、例えば制御部３１１が所要の制御処理を実行するのに必要なプログラムデータや、各種データベース等の情報が格納されているものとされる。ＲＡＭ３１３には、端末装置２と通信すべき所要のデータや、制御部３１１の処理により発生したデータが一時保持される。
【００５２】
Ｉ／Ｏポート３１７は、情報入出力端子３０６を介して端末装置２と相互通信を行うために設けられる。当該携帯端末装置３から送信する要求情報や、ダウンロードされるデータは、このＩ／Ｏポート３１７を介して入出力される。
【００５３】
この携帯端末装置３に設けられる記憶部３２０は、所定の記録媒体について記録再生を行うためのドライバ等を備えて構成されるものであり、サーバ装置１から端末装置２を介してダウンロードした情報を格納するために設けられる。
なお、この記憶部３２０に採用される記録媒体も特に限定されるものではないが、この場合にもランダムアクセス性を考慮すれば、ハードディスク、光ディスク、ＩＣメモリ等のランダムアクセスが可能な記録媒体を採用することが好ましい。
【００５４】
本実施の形態では、記憶部３２０に格納されたデータ（ダウンロード情報を含む）のうち、オーディオデータについては当該携帯端末装置３により再生出力することが可能とされている。このため、携帯端末装置３には信号処理回路３１４が設けられる。信号処理回路３１４は、例えば記憶部３２０から読み出されたオーディオデータをバスラインＢ３を介して入力して所要の信号処理を行う。ここで、記憶部３２０に格納されているオーディオデータが所定形式に従って圧縮処理をはじめとする所定のエンコードが施されているのであれば、信号処理回路３１４では入力された圧縮オーディオデータについて伸張処理及び所定のデコード処理を施して、Ｄ／Ａコンバータ３１５に出力する。Ｄ／Ａコンバータ３１５でアナログオーディオ信号に変換されたオーディオデータは、オーディオ出力端子３０９に供給される。なお、この図ではオーディオ出力端子３０９にヘッドフォン８が接続された状態が示されている。
また、上述したようにサーバ装置１のデータ合成部１０７において音声データと文字データが合成された情報が供給された場合は、分離部３２２で音声データと文字データが分離される。分離された音声データ友治データは、記憶部３２０に記憶したり表示部３０１やヘッドホン８等からの出力に供される。
なお、音声データと文字データが合成された状態で記憶部３２０に格納しておき、音声や文字を出力する際に分離部３２２に分離処理を行うようにしても良い。
【００５５】
また、携帯端末装置３にはマイク端子３１０が設けられている。例えば、マイク端子３１０にマイクロフォン１２を接続して音声を吹き込んだとすると、この音声信号がＡ／Ｄコンバータ３１６を介してデジタルオーディオ信号に変換されて信号処理回路３１４に入力される。この場合、信号処理回路３１４では入力されたデジタルオーディオ信号について、例えば圧縮処理及び記憶部３２０へのデータ書き込みに適合する所要のエンコード処理を施すように動作する。ここでエンコード処理が施されたデータは、例えば制御部３１１の制御によって記憶部３２０に対して格納することが可能とされている。あるいは、そのまま信号処理回路３１４の音声出力系からＤ／Ａコンバータ３１５を介してオーディオ出力端子３０９に出力することも可能である。このように、携帯端末装置３のユーザがメモ帳に記録する代わりに音声を録音するといったメモ録音装置として使用することが可能とされる。
【００５６】
また、携帯端末装置３に備えられるバッテリ回路部３１８は、少なくとも充電池を備えると共に、この充電池の電力を利用して携帯端末装置３内の各機能回路部の動作電源を供給するようにされた電源回路を備えて構成される。また、携帯端末装置３が端末装置２に装着された状態では、電源供給端子２０６−電源入力端子３０７を介して、充電部２１２からバッテリ回路部３１８に対して、携帯端末装置３の回路のための動作電源及び充電電力が供給されるようになっている。
【００５７】
この図に示す携帯端末装置３の表示部３０１及びキー操作部３０２は、例えば図２に示したようにして本体に設けられているものであり、この携帯端末装置３においても、上記表示部３０１に対する表示制御は制御部２１１により実行される。この場合、ダウンロードして記憶部３２０に格納した文字情報を表示部３０１に対して表示させることも可能とされる。また、制御部２０７は、上記キー操作部３０２から出力される操作情報に基づいて適宜所要の制御処理を実行することになる。
【００５８】
なお、本実施の形態においてはサーバ装置１からダウンロードされた情報が端末装置２、携帯端末装置３に一旦ダウンロードされ、端末装置３の記憶部３２０に記録されたのちに読み出されて出力されるが、どこにも記録せずそのまま信号処理部３１４に送られ伸長され、データはＤ／Ａコンバータ３１５によりアナログ情報に変換されてヘッドホンスピーカ８から出力されるように動作してもかまわない。
【００５９】
Ｉ／Ｏポート３１９は、コネクタ３０８を利用して外部と接続される機器や装置との入出力を可能とするために設けられる。コネクタ３０８には、例えば図５に示すようにモニタ装置９、モデム（またはターミナルアダプタ）１０、キーボ
ード１１を接続可能としている。モニタ装置９を接続することにより携帯端末装置３にダウンロードされた動画データ、文字データ等を大画面で出力することも可能となる。このモニタ装置には、ＣＲＴ、ＴＦＴ液晶、プラズマディスプレイ等が考えられ、ヘッドマウント型の液晶ディスプレイを用いればユーザが移動中においても出力情報を見ることができる。
【００６０】
また携帯端末装置３に、キーボード１１を接続することにより、要求する情報の選択を容易にするだけでなく、より複雑なコマンド入力が可能となる。これよりユーザが発言、情報等を文字情報として入力することも容易となるのでそのユーザ情報を送信装置にアップロードすれば、ユーザのリクエスト収集、又はユーザ同士の情報交換の場としての会議室等の提供を行うこともできる。
【００６１】
さらに、携帯端末装置３にモデム（またはターミナルアダブタ）１０を接続することにより端末装置２を用いずサーバ装置１と直接データ交信が可能となるばかりでなく、他のコンピュータ或いは携帯端末装置３と交信可能となるのでユーザ同士のデータ交換なども容易に行うことができる。例えば携帯電話等を用いればいつでもどこでも要求情報をサーバ装置１に送信することができ、まさにデータオン・デマンドとなりうる。
また、これらの代わりに無線接続コントローラを用いサーバ装置１と携帯端末装置３とを無線接続することも容易に行うことが可能である。
【００６２】
（１−ｃ．情報配信システムの動作）
次に、このように構成された本実施の形態とされる情報配信システムの全体の動作について説明する。
ユーザは携帯端末装置３のキー操作部３０２を用いてＲＯＭ３１２或いはＲＡＭ３１３に記憶される、サーバ装置１のデータベースメニューより所望の情報を選択すると、この要求情報がＲＡＭ３１３に蓄えられる。例えば、文字情報、文字情報を音読する音声情報、或いは文字情報と音声情報の合成情報のいずれかをキー操作部３０２により選択することにより要求情報が作成されるものである。
【００６３】
このようにして要求情報が作成された状態で携帯端末装置３を端末装置２の装着部２０４に装着することにより、端末装置２がサーバ装置１と所定の通信網４によりインターフェース部２１０を介して接続されるとともに、同様のインターフェース部２１０を介して携帯端末のＩ／Ｏポート３１７を介して携帯端末装置３に接続される。
これよりＲＡＭ３１３に蓄えられる要求情報が共通のバスに接続される制御部３１１に制御され、自動的にＩ／Ｏポート３１７を介して端末装置２へ、更にインターフェース部２１０を介してサーバ装置１に送信される。
【００６４】
サーバ装置１においてはその要求情報をインターフェース部１０６より入力し、それに応じたデータを記憶部１０２から検索部１０３により検索し、策出されたデータを端末装置２に送信する。
また、このとき要求情報に含まれるＩＤ情報等を認識することにより照合処理部１０４を用いることにより、当該ユーザが本サービスを使用することができるか否かの照合も同時に行うものである。
更に要求情報が要求する情報の種類、数等に応じて課金処理を課金処理部１０４によって行いインターフェイス部１０６を介して課金通信網５により行われる。
そして、サーバ装置１は、記憶部１０２から検索された情報のいくつかをデータ合成部１０７で合成して端末装置２に返信する。
【００６５】
サーバ装置１からユーザが要求した情報が端末装置２にインターフェース部１０６、２１０を介して返信される。端末装置２は、上述したように。このダウンロードされた情報を記憶部２１３に一時記憶し、更にその情報を検索、加工、表示等するためＲＯＭ２１４、ＲＡＭ２１５、キー操作部２０３を有する一般のコンピュータの構成を備えている。
【００６６】
更に、情報はインターフェース部２１０から携帯端末のＩ／Ｏポート３１７に返信される。このように携帯端末装置３からの要求情報のサーバ装置１への送信から所望の情報の受信の間に要する時間を利用して、携帯端末装置３の端末装置２への装着に伴い端末装置２側の充電部２１２より、電源供給端子２０６と携帯端末側の電源入力端子３０７が接続され、携帯端末に内蔵されるバッテリ３１８に自動充電が行われるように構成されている。
【００６７】
携帯端末装置３にＩ／Ｏポート３１７から入力される情報はパケットデータの分解処理がなされ、必要な圧縮情報が抽出されるとともに記憶部３２０に記録される。この所望の情報のダウンロードが終了すると端末装置２に設けた表示部２０２、或いは携帯端末装置３に設けた表示部３０１にダウンロード終了表示を出力する。ユーザはこのダウンロード終了表示を確認した後、携帯端末装置３と端末装置２から取り外し、自由に持ち運べる状態となる。
【００６８】
ユーザが携帯端末装置３にダウンロードした情報を再生したい場合には、まず、キー操作部３０２により記憶部３２０に記録されている情報一覧から再生したい情報を選択し決定する。
すると記憶部３２０よりその圧縮情報が読み出され、信号処理部３１４に送られ伸長される。この伸長されたデータはＤ／Ａコンバータ３１５によりアナログ情報に変換されヘッドホンスピーカ８から出力される。また、圧縮された情報が合成情報の場合には分離部３２２により合成されたデータを分離する処理を施すようにする。
【００６９】
マイクロホン１２から音声信号を記録する場合には、キー操作部３０２より録音信号を出力し、これよりマイクロホン１２からの音声信号がＡ／Ｄコンバータ３１６によりデジタル化され、更に信号処理部３１４により所定の圧縮方法で圧縮されてバスを介して記憶部３２０に記録される。このようにして携帯端末装置３をメモ帳の代わりに簡単な音声で録音するメモ録音装置として使用することが可能とされる。
【００７０】
次に本実施の形態とされる情報配信システムにおけるサーバ装置側の処理動作と、端末装置側（端末装置２及び携帯端末装置３）の処理動作の一例を図６、図７を参照しながら説明する。
図６は、サーバ装置側の処理動作の一例を示したフローチャートである。
まずサーバ装置１の制御部１０１は、携帯端末装置３、または端末装置２から通信網４を介して要求情報が送信されると、ステップＳ１０１において送信されてきた要求情報から文字データの要求の有無を判別し、文字データの要求が有ればステップＳ１０２に進み、文字データの要求が無ければステップＳ１０３に進む。
ステップＳ１０２においては、要求情報から音声データの要求の有無の判別を行い、音声データの要求が有ればステップＳ１０５に進み、要求がなければステップＳ１０４に進む。
一方、ステップＳ１０３においても、要求情報から音声データの要求の有無を判別し、音声データの要求が有ればステップＳ１０６に進み、また要求がなければステップＳ１０１に戻るようにされる。
【００７１】
すなわち、サーバ装置１に対して端末装置２または携帯端末装置３から文字データの要求だけが有った時はステップＳ１０４に、文字データと音声データの要求が有った時はステップＳ１０５に、音声データの要求だけがあった時はステップＳ１０６にそれぞれ移行するようにされる。
【００７２】
ステップＳ１０４においては、要求された文字データの検索を検索部１０３で行ってステップＳ１０８に進み、ステップＳ１０８において、この文字データを端末装置２又は携帯端末装置３に通信網４を介して返信するようにしている。
また、ステップＳ１０５においては、要求された文字データと音声データの検索を検索部１０３で行ってステップＳ１０７に進む。ステップＳ１０７においては、検索した文字データと音声データの合成処理を施してステップＳ１０８に進み、ステップＳ１０８において、この合成処理を施した文字データと音声データを通信網４を介して端末装置２又は携帯端末装置３に返信するようにしている。なお、本例では音声データと文字データが要求された場合は、ステップＳ１０７において合成処理を行って文字データ及び音声データをダウンロードしているが、例えば音声データと文字データの合成処理を行うことなく、別々に端末装置２及び携帯端末装置３に返信（ダウンロード）してもかまわない。
【００７３】
ステップＳ１０６においては、要求された音声データの検索を検索部１０３で行ってステップＳ１０８に進み、ステップＳ１０８において、この音声データを通信網４を介して端末装置２又は携帯端末装置３にそのまま返信するようにしている。
なお、例えば検索部１０３には文字データ、音声データについてのテーブルが用意されており、テーブルには要求される情報のＩＤと、その情報の記憶部１０２における文字データと音声データのアドレスがペアとなって配列されている。従って、要求される情報のＩＤから記憶部１０２のアドレスが検索されると、指定される記憶部１０２のアドレスから情報を読み出すことにより所望の情報を策出することができるようになっている。
【００７４】
図７は、端末装置側の処理動作の一例を示したフローチャートであり、携帯端末装置３から通信網４を介してサーバ装置１に対して情報要求を送信した場合、携帯端末装置３の制御部３１１は、サーバ装置から要求情報に対応するデータの返信待機状態となる（Ｓ１１０）。そして、サーバ装置１から所定のデータが返信された場合はステップＳ１１１に進んで返信されたデータの受信処理を行い、記憶部３２０に格納する。そしてステップＳ１１２でその受信／格納したデータを出力するように制御することになる。
【００７５】
ここで、例えば返信されたデータが文字データと音声データの合成データで有れば、携帯端末装置３の分離部３２２で音声データと文字データに分離処理を施した後、文字データは表示部３０１によって表示出力されると共に、音声データは信号処理部３１４によって所定の処理が施され、Ｄ／Ａ変換器３１５を介してオーディオ出力端子３０９（ヘッドホン８）から音声出力される。
なお、ここでは、サーバ装置１から音声データと文字データが合成情報として返信されてくるものとしたがそれぞれ別々にダウンロードするようにしてもよい。
【００７６】
また、ダウンロードされた音声データと文字データは端末装置２の表示部２０２、音声データはスピーカ２０９からそれぞれ出力することも可能とされる。
【００７７】
また、例えば返信されてくる情報が文字データのみであれば端末装置２及び携帯端末装置３の表示部３０１から表示出力され、音声データのみで有れば、端末装置２のスピーカ２０７または携帯端末装置３のオーディオ出力端子３０９（ヘッドホン８等）から音声出力するようにされる。
【００７８】
また、端末装置２または携帯端末装置３における文字データ及び／又は音声データの双方の選択は、ポインティングデバイス、或いは指、或いはキーボードにより選択できるようになっており、端末装置２または携帯端末装置３において、例えばユーザが希望する情報に基づいてユーザのＩＤ情報を含む要求情報を作成し、サーバ装置１に送信することができるようにされている。
【００７９】
このように本実施の形態とされる情報配信システムによれば、音声データと文字データの両方、あるいは音声データまたは文字データをそれぞれ別々にダウンロードすることができるようにされているため、例えばユーザの所望の情報が小説、新聞、雑誌、ニュース、等の情報の場合、文字データ、音声データのいずれか、あるいは双方の情報を選択してダウンロードすることができるようになる。これにより、例えば双方の情報を同時にダウンロードする時に通信回線が混雑している場合においても、端末装置２又は携帯端末装置３において情報収集に無駄な時間がかかるといった事がなく、効率的な情報収集が可能となり情報収集の迅速化を図ることができるようになる。
【００８０】
＜２．情報処理装置の処理動作＞
図８は、本実施の形態とされる情報配信システムにおいて、文字データと音声データが配信された場合の携帯端末装置３側の具体的な処理動作の一例を示したフローチャートである。なお、以下に説明する動作は、端末装置２においても同様に実行可能となる。
この場合、例えば携帯端末装置３の制御部３１１は、ステップＳ２０１において、サーバ装置１から通信網４を介してダウンロードされた音声データと文字データを受信するようにされる。なお、ここで受信される音声データ及び文字データは合成情報に限定するものではないので分離処理の説明は割愛する。
そして、受信された音声データが例えば携帯端末装置３のスピーカ８から出力されると共に、文字データが携帯端末装置３の表示部３０１から表示出力される。
【００８１】
ここで、文字データの表示と対応するように音声データをスピーカから出力するための手法を簡単に説明する。
例えば文字データのデータ構造が図９７のようにインデックス対応テーブル７４と文字データ本体７５からなっており、文字データを例えば携帯端末装置３の表示部３０１を用いて順に表示していく。このときキー操作部３０２の動作キー３０５によりぺージ送り、行送り等も可能である。そして、インデックス対応テーブルはぺージ単位、行単位、文字単位等のインデックスが設けられており、所定のぺージ、行、文字に相当する文字データのアドレスを記憶するとともに、そのぺージ、行、文字に対応する音声データのアドレスについても記憶されている。
【００８２】
よって、ステップ２０２においては表示されている文字データを参照して現在出力されるべき音声データを割り出し出力するように制御して文字データと音声データの同期をとるようにして、文字データと、その文字データに対応した音声データをノーマル出力として出力するようにしている。
【００８３】
なお、本実施の形態においてはインデックス対応テーブルを用いて同期をとっているが、文字データと音声データとのタイミングを図ることができる手段であればよく、例えば、文字データ、音声データに同期出力のための信号を重畳させてもよい。
【００８４】
次に、ステップＳ２０３、Ｓ２０４において、ユーザの操作や出力状況を監視する。ユーザによって停止操作がされたり、若しくは出力すべきデータの出力を終えたらステップＳ２０３から動作を終了する。
一方、ユーザによって例えばキー操作部３０２の早送り、或いは巻戻しキーの操作が行われると、すなわちステップＳ２０４でキュー、レビュー出力の指示があると、ステップＳ２０５において、文字データのスクロールの速度を変え、キュー、レビュー表示を行えるようにすると共に、その文字表示に同期して音声出力についてもキュー、レビュー出力を行うように制御する。なお、音声出力の場合にはピッチを変える場合とそうでない場合が考えられる。
【００８５】
キュー若しくはレビュー出力を実行している間は、ステップＳ２０６、Ｓ２０７でユーザの操作や出力状況を監視する。ユーザによって停止操作がされたり、若しくは出力すべき全データの出力を終えたらステップＳ２０６から動作を終了する。
一方、ユーザからキュー、レビュー表示から通常速度での表示及び出力であるノーマル出力に戻すような指示がされると、ステップＳ２０７からＳ２０２に進み、つまりノーマル出力に戻る。
このように本実施の形態においては、携帯端末装置３においてキュー、レビュー表示が自在に行えるようにすることにより情報収集の時間を更に短縮することが可能である。上記したように同様の動作を端末装置２で行うことも可能である。
【００８６】
また、大量のテキストデータから所望の情報を検索する場合、視覚による検索以上に聴覚による検索能力がより迅速に情報検索をすることが可能となる。
従って、当該端末装置２及び携帯端末装置３のキュー表示及び出力を用いることにより、音声からテキストデータの検索を行い、ユーザが所望の情報の音声を聞き取ったときにノーマル出力に切換えてテキストデータの検索を更に行って情報を限定するという方法により更なる情報検索の向上、情報収集時間の短縮が可能である。
【００８７】
次に、図９は本実施の形態とされる情報配信システムによって、文字データと音声データが配信された場合の携帯端末装置３側の具体的な処理動作の他の一例を示したフローチャートである。この動作についても端末装置２でも同様に実行可能である。
先ずステップＳ３０１において、携帯端末装置３において文字データと音声データの双方が受信されると、上記図８同様に文字データについては例えば表示部３０１を用いて文字を表示すると共に、その文字データを音読する音声データを例えばヘッドホン８から音声出力する。なお、この場合も受信される音声データと文字データは合成情報と限定するものではないので分離処理については割愛する。
【００８８】
次に、ステップＳ３０２においては、上記図８において説明したような手法により文字データと音声データの同期をとるようにして文字データとその文字データに対応した音声データをノーマル出力として出力するようにされる。
ここで、ユーザが例えば、キー操作部３０２に設けられている動作キー３０５を例えば１回クリックすると（Ｓ３０３）、ステップＳ３０５に進んで、携帯端末装置３の制御部３１１は、音声出力をＯＦＦにするように制御する。そして、この音声出力がＯＦＦの状態で再びキー操作部３０２の動作キー３０５が１回クリックされると、ステップＳ３０８に進んで再び音声出力がＯＮにとなるように制御してステップＳ３０３に戻るようにされる。
【００８９】
また、音声データと文字データが同期して出力されるノーマル出力状態、又は音声データがオフとされている状態において、ユーザがキー操作部３０２の動作キー３０５をダブルクリックした場合はステップＳ３０４、又はＳ３０７に進んで、処理を終了させるようにしている。
【００９０】
なお、本実施の形態においては、キー操作部３０２の例えば動作キー３０５をワンクリック、或はダブルクリックすることによって音声出力のオン／オフ切換えや音声出力のミュートを行うようにしているが、音声出力のオン／オフ切り換えスイッチや音声出力をミュートするためのスイッチをそれぞれ設けるようにしても良い。
【００９１】
このように本実施の形態とされる情報処理装置においては、サーバ装置１からダウンロードされた文字データ、音声データの同時出力から音声出力のミューティングを可能にすることにより、ユーザが情報を速く読み進めたい時は音声出力をミューティングして文字データのみから情報収集を行うことができる。
また、ユーザが疲れており文字を読むことが困難な場合においても、有効に時間を使うため再び音声データをＯＮにして目を閉じたままでも情報収集が耳から行うことができる。
これより、ユーザの体調に合わせた最も効率の良い情報収集を可能にするといった格別の効果がある。
【００９２】
なお、上記例では文字データとして、例えば電子出版物等のデータとし、音声データをその音読データとしたが、このようなデータに限定される、広く適用することができる。例えば音声データを、楽曲音声データやカラオケ音声データとし、音声データを歌詞データとしても良い。この場合、ユーザの都合に応じて楽曲のみ、歌詞のみ、楽曲と歌詞の両方を選択してダウンロードできることになる。
【図面の簡単な説明】
【００９３】
【図１】本発明の実施の形態としての情報配信システムの構成例を概念的に示す説明図である。
【図２】本実施の形態とされる携帯端末装置の外観例を端末装置の端末装着部と共に示す斜視図である。
【図３】本実施の形態とされる情報配信システムの各装置の内部構成を示すブロック図である。
【図４】本実施の形態とされる携帯端末装置の利用形態の説明図である。
【図５】本実施の形態とされる携帯端末装置の利用形態の説明図である。
【図６】本実施の形態とされる情報配信システムにおけるサーバ装置側の処理動作を示したフローチャートである。
【図７】本実施の形態とされる情報配信システムにおける端末装置側の処理動作を示したフローチャートである。
【図８】本実施の形態とされる情報配信システムにおける端末装置側の具体的な処理動作を示したフローチャートである。
【図９】文字データの構造を説明する説明図である。
【図１０】本実施の形態とされる情報配信システムにおける端末装置側の具体的な他の処理動作を示したフローチャートである。
【符号の説明】
【００９４】
１サーバ装置、２  端末装置、３  携帯端末装置、４  通信網、５  課金通信網、６  代理サーバ、８  ヘッドフォン、９  モニタ装置、１０  モデム、１１  キーボード、１２  マイクロフォン、１０１  制御部、１０２  記憶部、１０３  検索部、１０４  照合処理部、１０５  課金処理部、１０６  インターフェイス部、Ｂ１  バスライン、２０１  通信制御端子、２０２  表示部、２０３  キー操作部、２０４  端末装着部、２０５  情報入出力端子、２０６  電源供給端子、２１１  制御部、２１３  記憶部、２１０  インターフェイス部、２１２  充電部、２１６  信号処理回路、２１７  Ｄ／Ａコンバータ、２１８  Ａ／Ｄコンバータ、２１９  装着判別部、Ｂ２  バスライン、３０１  表示部、３０２  キー操作部、３０３  セレクトキー、３０４  決定キー、３０５  動作キー、３０６  情報入出力端子、３０７  電源入力端子、３０８  コネクタ、３０９  オーディオ出力端子、３１０  マイクロフォン端子、３１１  制御部、３１２  ＲＯＭ、３１３  ＲＡＭ、３１４  信号処理回路、３１５  Ｄ／Ａコンバータ、３１６  Ａ／Ｄコンバータ、３１７，３１９  Ｉ／Ｏポート、３１８  バッテリ回路部、３２０  記憶部、Ｂ３  バスライン
【図１】
2006294047.tif 000003
【図２】
2006294047.tif 000004
【図３】
2006294047.tif 000005
【図４】
2006294047.tif 000006
【図５】
2006294047.tif 000007
【図６】
2006294047.tif 000008
【図７】
2006294047.tif 000009
【図８】
2006294047.tif 000010
【図９】
2006294047.tif 000011
【図１０】
2006294047.tif 000012